(57)【要約】【課題】タイヤ交換の際等に必要なジャッキにおいて、レンチの機能を備えたジャッキハンドルを開発する。【解決手段】ジャッキ１とジャッキハンドルとを備えたジャッキ装置において、ジャッキハンドル２の一端がレンチアダプター（ソケット）３対応の差込角凸部（スクエア）の先端構造１３ａのレンチ部１３とした。種々の車種のボルトに対応したレンチアダプター（ソケット）３を取付け可能であるレンチ付ジャッキハンドルを案出した。【選択図】図１
0003143218.tif 000002
【実用新案登録請求の範囲】
【請求項１】
ジャッキ本体と前記ジャッキを操作するジャッキハンドルとを備えたジャッキ装置において、ジャッキハンドルの一端がレンチアダプター対応の先端構造を持つレンチ部に形成したことを特徴とするレンチ付ジャッキハンドル。
【請求項２】
前記ジャッキハンドルは、略Ｌ字型のレンチ部の柄後端がジャッキハンドルの柄に連結固定或いは着脱自在に連結され、前記レンチアダプター対応の先端構造は種々のボルト径に対応した種々の径のレンチアダプターを装填可能な差込角凸部であることを特徴とする請求項１に記載のレンチ付ジャッキハンドル。
【請求項３】
前記ジャッキ本体には、ジャッキハンドル及びレンチアダプターを装着保持するアタッチメントを設けたことを特徴とする請求項１又は請求項２のいずれかに記載のレンチ付ジャッキハンドル
【請求項４】
ジャッキ本体と前記ジャッキを操作するジャッキハンドルとを備えたジャッキ装置において、ジャッキハンドルの一端がレンチアダプター対応の差込角凸部先端構造を持つ略Ｌ字型のレンチ部に形成し、種々の車種のボルトに対応したレンチアダプターを取付け可能な構造を持ち、前記ジャッキ本体は、ジャッキハンドル及びレンチアダプターを装着保持する専用アタッチメントを設けたことを特徴とするレンチ付ジャッキハンドル。
【考案の詳細な説明】
【技術分野】
【０００１】
本考案は自動車用ジャッキ、ガレージジャッキ等のジャッキに付属するジャッキハンドルに関する。
【０００２】
本考案は、そのジャッキハンドルにレンチ機能を付加するものである。
上記ジャッキハンドルに付加したレンチ機能のレンチは、主に自動車用タイヤを着脱する際に使用するホイールナットレンチ機能があるものである。
自動車用ジャッキ、ガレージジャッキやホイールナットレンチは、自動車のトランクもしくはガレージに置いておくことが通常であり、収納の少スペース化が求められる。
また、不測の事態でのジャッキの使用やホイールナットレンチを使用してのタイヤ交換は人力による作業であり、その夫々の工具には、少ない力で大きな作業効率を生み出す高トルク性が求められる。
【背景技術】
【０００３】
以下に、ジャッキ及びレンチに関する公知参考文献の一例を示す。
【特許文献１】実公平７−１６７１５「自動車用ジャッキのハンドルロッド」
【０００４】
上記公知参考特許文献１は、車輪を持たない小型パンタグラフ式のジャッキ及びこれに使用するジャッキハンドルであって、ジャッキハンドルの回転作業を、別途用意したボックスレンチ（ボルトヘッドを包み込んで保持する角筒状のボックス＝ソケットに柄を付した構造）の柄中途部を連結接続して、回転ハンドルとして連結利用する考案を示すものである。
【０００５】
上記特許文献１において開示されるジャッキハンドルは、ジャッキハンドルを短くして車載スペースの縮小化が図られている。
また、ジャッキハンドルの一端にレンチを接続することで、ジャッキハンドルを容易に回転できる効果がある。
ボックスレンチは、独立したもので、その機能に従って、当該車種のタイヤ交換作業を行うことが可能である。
レンチボックス部分は固定径であり、該当ボルト又は該当車種のタイヤ交換にしか対応できず、あくまで当該車種の専用ホイールレンチである。
【０００６】
又、上記特許文献１は、パンタグラフ式ジャッキにおいて回転ジャッキハンドルの末端にホイールレンチを略直角に接続することでジャッキアップの際の回転運動へのトルク効率の向上を実現し、作業者の必要労力を軽減させるものである。
【０００７】
即ち、ジャッキハンドルにボックスレンチを略直角に連結してハンドルとして回転させるというものでジャッキハンドルの回転作業を補助する構成で連結機構に特徴がある。
しかし、レンチ自体としては、用意されているレンチボックス径に使用が限られるので、他の用途への汎用性は高いものではなかった。
勿論、ジャッキハンドルにボックスレンチを略直角に連結しているので、レンチとしてはこの状態では使用しにくい形態である。
さらに、ボックスレンチでは、ジャッキ作業中に、ボックスの中に泥や砂が入り付着して、ボルトに被冠できない事態や、ボルトに傷を付けることもあった。
仮にボックスレンチをジャッキハンドルと直線的に連結しても、砂等の付着や汎用性に問題が残る。
【考案の開示】
【考案が解決しようとする課題】
【０００８】
本考案においては、液体作動式やエア式などで、自動車ジャッキやガレージジャッキなど、ジャッキハンドルをテコ式手動で上下に揺動してジャッキアップ作業をするジャッキにおいて、ジャッキハンドル昇降の作業を小さな力で容易にすることが第一の課題である。
次に、ジャッキに他の機能を持たせること、特に自動車のタイヤ交換等で必要なジャッキと、ジャッキアップ後に必要なレンチをコンパクトにまとめることが第二の課題であり、そしてジャッキやジャッキハンドルをコンパクトにすることが第三の課題である。
【０００９】
このように、ジャッキとしても使い勝手が良く、かつ汎用性のあるレンチとしても使用でき、コンパクトで使い勝手がよいレンチ機能のある或いはレンチ機能を付加されたジャッキハンドルの開発を課題とする。
そして好ましくはレンチとジャッキハンドルとは、夫々相互補助的に作用して使用できる構成が良い。
【００１０】
タイヤ交換等の際に必要なホイールレンチ等の汎用できるレンチ機能を備え、かつ必要パーツを全て本体にまとめ、移動型（車輪装備）ガレージジャッキ等のジャッキに付属される使い勝手の良いレンチ付ジャッキハンドルを目的とした。
又、製造上低廉に製作可能にすることも本考案の課題である。
【課題を解決するための手段】
【００１１】
上記課題を解決するため、本考案にかかるレンチ付ジャッキハンドルについては、以下の構成手段を案出した。
【００１２】
ジャッキハンドルの一端にレンチアダプター（＝ソケット；ここでのソケットは六角筒ほかの角形のソケットも含む意味で使用する）対応の先端構造１３ａを形成した略Ｌ字型のレンチ部の柄を連結固定或いは着脱自在に連結し、ジャッキハンドルの長さを延長して上下反復動作を楽にし、レンチ部の先端構造１３ａである差込角凸部（スクエア）に各種径のレンチアダプター（ソケット）を装着することで、多種の径のレンチアダプター（ソケット）を交換装着できるソケットレンチとして構成した。
【００１３】
ジャッキハンドルには略Ｌ字型のレンチの柄後端が連結されて長い柄になっており、他面レンチには、ジャッキハンドルが連結されていて、長い柄になっている構成となる。
長い柄のために、ジャッキハンドル作業も、レンチ作業も小さい力で作動でき省力化できるものとなるので、相互補助的に作用する。
このようにジャッキハンドルにレンチ部を延長するので、長尺になり、高トルクの工具になる。
ジャッキハンドルのアームの長さは従来比１，５倍程度とし、従来のジャッキハンドルやホイールレンチよりも実質長尺なものとなる。
【００１４】
レンチアダプター（ソケット）は、全体筒型で、一面側にボルトを包む角筒空間又は角穴又は角孔を設け、一面にレンチの差込角凸部（スクエア）を挿入するスクエア形などの角筒を形成している。
上記レンチアダプター（ソケット）のボルトを包む角筒空間は、種々の径のものが用意される。
様々な車種のホイールナットに対応する多種の径のものを装備した。
上記ジャッキハンドル及び複数個のレンチアダプター（ソケット）は、数個セットで準備される。
【００１５】
このように、ジャッキ本体と前記ジャッキを操作するジャッキハンドルとを備えたジャッキ装置において、ジャッキハンドルの一端をレンチアダプター（ソケット）対応の先端構造１３ａを持つレンチ部に形成したことを特徴とするレンチ付ジャッキハンドルを提案する。
【００１６】
前記ジャッキハンドルは、レンチ部の後端がジャッキハンドルの柄に連結固定或いは着脱自在に連結され、前記レンチアダプター（ソケット）対応の先端構造１３ａは種々のボルト径に対応した種々の径のレンチアダプター（ソケット）を装填可能な差込角凸部（スクエア）構造を持つ。
【００１７】
ジャッキ本体には、前記レンチ部の先端構造１３ａに対応した種々の径のレンチアダプター（ソケット）を保持するアタッチメント（取付具）を備えていることが好ましい。
ジャッキ本体の側面部に装着してまとめて保持収納できるアタッチメントでも、ジャッキのケースにアタッチメント（取付部）を設けてもよい。
【考案の効果】
【００１８】
（１）本考案では、ジャッキハンドルにレンチ機能を併設しているので、通常はジャッキとは別工具として別途購入することが必要なレンチを常備することになる。
（２）ジャッキハンドルにレンチの柄部分が付加され、ジャッキハンドルが長くなるので、ジャッキハンドルの上下昇降の作業を小さな力で容易にすることができる。
（３）ジャッキ本体に装着保持されたレンチアダプター（ソケット）をジャッキハンドルの後端に連結するレンチ部に装填することで、本考案のジャッキハンドルのみで様々なレンチ作業ができ、例えば多くの車種のタイヤ着脱作業を行うことが可能となった。
工具の汎用性を向上した。
（４）ジャッキ本体にジャッキハンドル及びレンチアダプター（ソケット）を装着してまとめることで、工具全体のスペースの縮小化ができる。
車載の際にもスペースの確保ができる。
（５）ジャッキアップ及びホイールレンチとして使用するジャッキハンドル及びレンチアームの長さを長尺にできるので、作業効率を改善できる。
作業を小さな力で容易にすることができる
【考案を実施するための最良の形態】
【００１９】
以下に、本考案にかかるレンチ付ジャッキハンドルの実施の形態を、各図面を参照しつつ説明する。
【実施例１】
【００２０】
図１は、本考案にかかるレンチ付ジャッキハンドルを用いている実施例１のジャッキの全体分解斜視図である。
図中、各符号の主なものは、自動車用等の移動型の車輪装備したジャッキ本体１、これに付属しているジャッキハンドル２、及びレンチ部１３、これに装着されるレンチアダプター（ソケット）３を示している。
ジャッキハンドル２は中空管状である。
ジャッキ本体１と前記ジャッキ１を操作するジャッキハンドル２とを備えたジャッキ装置において、ジャッキハンドル２の一端がレンチアダプター３対応の先端構造１３ａを持つ略Ｌ字型のレンチ部１３に形成したことを特徴とする。
前記レンチアダプター３対応の先端構造１３ａは、種々のボルト径に対応した種々の径のレンチアダプター３を装填可能なスクエア突起状の差込角凸部である。
【００２１】
レンチアダプター（＝ソケット；ここでのソケットは六角筒ほかの角形のソケットも含む意味で使用する）３に対応するように先端構造１３ａを形成した略Ｌ字型のレンチ部１３は、実施例１ではその柄（アーム）をジャッキハンドル２に連結固定し、ハンドルグリップ部１６を被せている。
【００２２】
実施例１のジャッキ本体１は、いわゆるガレージジャッキで、ジャッキアップ管４、ジャッキ上昇部６、昇降台７、前輪８、後輪９，移動用の取手部１７から構成されている。
テコ運動するジャッキアップ管４には、ハンドルジョイント５が設けられ、ジャッキハンドル２が装着されて連結され、ジャッキアップ作業を動作ができる。
ジャッキ本体１は、前輪８及び後輪９を使用することで、ジャッキアップ前に所定の位置に移動でき、例えば狭い車体下において目的の場所にスムーズな移動をさせることが可能である。
【００２３】
ジャッキアップの際には、まずジャッキハンドル２のハンドル端部１０をハンドルジョイント５に差込み、ジャッキハンドルのフック部１１を使用して固定させ、ジャッキハンドル２を上下に動かすことでジャッキアップ作業を行う。
このとき、ジャッキハンドル２にレンチ部１３が連結しているので、長尺柄での作業となり、容易に作業ができる。
実施例１では、ジャッキハンドル２の長さは３０Ｃｍ、レンチ部１３の柄の長さ２０Ｃｍとしたもので、連結状態では５０Ｃｍであるので、小さな力で、作業進行ができる。
ジャッキハンドル２やレンチ部１３の柄の長さは、ジャッキの大きさ等で変わるものである。
ジャッキアップを行うとジャッキ本体のジャッキ上昇部６が連動して徐々に上昇し、この先端にある昇降台７も同時に上昇する。
この昇降台７が、被載置物体の下部に当接し、ジャッキアップさせる。
自動車の場合は、自動車の下部にある専用部に差込み、当接させて車体を安全に揚げることになる。
【００２４】
また、ジャッキアップ後は、ジャッキアップ状態を保ったままジャッキハンドル２はハンドルジョイント５から外すことが可能である。
そこで、ジャッキアップ後は、自動車のジャッキアップ状態を保ったまま、ジャッキハンドル２をホイールレンチとして安全に使用することが可能となっている。
即ちレンチ部１３の長尺の柄としてジャッキハンドル２を利用できる。
レンチ部１３の先端構造１３ａである差込角凸部に、対応するレンチアダプター（＝ソケット）３をセットして、適合するレンチとして使用することができる。
レンチアダプター（＝ソケット）３は、レンチ作業直前にセットすればよいので、汚れにくく清潔にして、最も適合する径のものを選択できる。
【００２５】
ジャッキ本体側面にはジャッキハンドル２及びレンチアダプター（ソケット）３を固定するアタッチメント（取付部）１４・１５が設けられており、すべてのパーツがジャッキ本体１に一体化することができ、ジャッキ本体１上部にある取手部１７を持つことで簡単に持ち運ぶことができる。
なお、アタッチメント１４・１５の詳細については後述する。
【００２６】
図２は、本考案にかかる実施例１のジャッキ本体１及びジャッキハンドル２を並べた状態の側面図である。
【００２７】
図３は、同じくジャッキ１にジャッキハンドル２を装着し、最高位までジャッキアップした状態を示す側面図である。
【００２８】
図４は、同じ実施例１で、レンチとして使用している状態の説明図であり、ジャッキハンドル２に接続したレンチ部１３とこれに装着するレンチアダプター（ソケット）３、自動車用タイヤ１０及びホイールナット３０を示す斜視図である。
ジャッキハンドルのレンチ部１３の差込角凸部にレンチアダプター（ソケット）３の角穴１２を装着することで長尺のホイールレンチとなり、対象のホイールナットの着脱作業を行う。
レンチアダプター（ソケット）３はいくつかの車種用の交換用アダプター３をジャッキ本体１の側面に保持しており、必要に応じて取り外して選択使用することが可能である。
【００２９】
図５は、ジャッキ本体１の側面におけるジャッキハンドル２の装着固定時の様子を示す側面図である。
ジャッキハンドル２はジャッキ本体１の側面にあるジャッキハンドルアタッチメント１４によって固定される。
ジャッキハンドルアタッチメント１４は上下から挟み込む形でジャッキハンドル２を保持し、着脱自在ではあるが、車載時の振動やジャッキ使用時における負荷によって外れることはない。
なお、本ジャッキハンドルアタッチメント１４の固定方法はこれに限定されるものではなく、様々な保持形態が可能である。
【００３０】
図６は、ジャッキ本体１の左側における複数個のレンチアダプター（ソケット）３の装着保持の様子を示す側面図である。
個々のレンチアダプター（ソケット）３はジャッキ本体１の側面にあるレンチアダプター（ソケット）アタッチメント１５によって固定される。
ジャッキハンドル２のレンチ機能を使用する際には、ここから必要な口径のレンチアダプター（ソケット）３を取り外して使用する。
【００３１】
レンチアダプター（ソケット）アタッチメント１５は、左右から挟み込む形でレンチアダプター（ソケット）３を個々に固定し、着脱自在ではあるが、車載時の振動やジャッキ使用時における負荷によって外れることはない。
なお、本レンチアダプター（ソケット）アタッチメント１４の固定方法はこれに限定されるものではなく、様々に応用された実施態様が可能である。
【００３２】
以下においては、本考案にかかるレンチ付ジャッキハンドルの様々な実施例の形態について、各図面を参照しつつ説明する。
【実施例２】
【００３３】
図７は、本考案にかかるレンチ付ジャッキハンドルで、分解可能に連結したジャッキハンドル２の実施例２示したものである。
ソケットレンチ型であることで、ジャッキ作業中にレンチアダプター（ソケット）３が汚れることもない。
ジャッキハンドル２のハンドル柄部２４、レンチ部１３のハンドル曲部２３、ハンドルグリップ部１６から成り、収納時には図のように分解することが可能である。
ジャッキハンドル２とレンチ部１３とは、差込式でも、ネジ式でもよいが、連結マークなどで結合の安全性は十分に図られる。
【実施例３】
【００３４】
図８は、本考案にかかる分解可能なジャッキハンドルの他の実施例３を示したものである。
ジャッキハンドルの柄の中央部で２つのパーツに分解することができ、使用時には連結口２１に連結部２２を挿入する。
アームを分割可能としたことで収納は、よりコンパクトになる。
【実施例４】
【００３５】
図９は、本考案にかかるジャッキハンドルの実施例４の一つを示すものである。本実施例４は、略Ｌ字型のレンチに変形する構造であるが、レンチ部分は留め具１９を中心とした回転可動式となっており（可動式レンチ部１８、２０）、レンチ機能を使用しない時は図中２０の位置に固定することで、ジャッキハンドル全体は１本の棒形状にすることもできる。
レンチ機能使用時には図中１８の位置に固定して使用する。
屈折が邪魔になる場合には有用である。
【産業上の利用可能性】
【００３６】
本考案は、主にガレージジャッキに関するものであるが、自動車のみに関わらず、工業用・建設用の小型手動型のジャッキアップハンドルには様々な応用が期待できる。
【図面の簡単な説明】
【００３７】
【図１】本考案にかかるレンチ付ジャッキハンドルの実施例１を示すもので、ガレージジャッキ本体１、ジャッキハンドル２及びこれに装着するレンチアダプター（ソケット）３の各部を示す斜視図である。
【図２】同じく実施例１のジャッキ本体１及びジャッキハンドル２を側面からから見た側面図である。
【図３】同じく実施例１で、ジャッキ１にジャッキハンドル２を装着し、最高位までジャッキアップした状態を示す側面図である。
【図４】同じく実施例１のレンチ付ジャッキハンドルで、レンチとして使用している状態を示す説明斜視図である。ジャッキハンドル２の末端のレンチ部１３とこれに装着するレンチアダプター（ソケット）３、自動車用タイヤ１０及びホイールナット３０を示す斜視図である。
【図５】同じく実施例１のレンチ付ジャッキハンドルで、ジャッキ本体１にジャッキハンドル２を装着固定した状態を示す側面図である。
【図６】同じく実施例１のレンチ付ジャッキハンドルで、ジャッキ本体１の側面に複数個のレンチアダプター（ソケット）３を装着保持した状態を示す側面図である。
【図７】分解可能に連結したジャッキハンドル２の実施例２を示したレンチ付ジャッキハンドルで、ジャッキハンドル２の分解状態を示す斜視図である。
【図８】ジャッキハンドルの柄の中央部で２つのパーツに分解できる実施例３を示すもので、ジャッキハンドル２の分解状態を示す斜視図である。
【図９】ジャッキハンドル２に屈折可動式のレンチ部を組み合わせた実施例４を示す斜視図である。
【符号の説明】
【００３８】
１      ジャッキ本体
２      ジャッキハンドル
３      レンチアダプター（ソケット）
４      ジャッキアップ管
５      ハンドルジョイント
６      ジャッキ上昇部
７      昇降台
８      前輪
９      後輪
１０    ハンドル端部
１１    フック部
１２    角穴
１３    レンチ部
１３ａ  先端構造１３ａ（差込角凸部）
１４    アタッチメント（取付部；ジャッキハンドル用）
１５    アタッチメント（取付部；レンチアダプター（ソケット）用）
１６    ハンドルグリップ部
１７    取手部
１８    可動式レンチ部（レンチ使用時形態）
１９    可動式レンチ部（直線形態）
２０    留め具
２１    連結部
２２    連結口
２３    ハンドル曲部
２４    ハンドル柄部
【図１】
0003143218.tif 000003
【図２】
0003143218.tif 000004
【図３】
0003143218.tif 000005
【図４】
0003143218.tif 000006
【図５】
0003143218.tif 000007
【図６】
0003143218.tif 000008
【図７】
0003143218.tif 000009
【図８】
0003143218.tif 000010
【図９】
0003143218.tif 000011